(57)【要約】【課題】  装置全体のコンパクト化を図り、演奏中に鍵盤部からほとんど手を離さずに、容易に付属品搭載部を操作できる鍵盤装置を提供する。【解決手段】  楽器ケース１と、この楽器ケース１内に設けられた鍵盤部２と、楽器ケース１に回動可能に設けられて鍵盤部２を開閉可能に覆う鍵盤蓋３と、楽器ケース１と鍵盤部２との間に収納されて鍵盤部２の下部前方に出没する付属品搭載部４と、鍵盤蓋３の開閉動作に連動して付属品搭載部４を鍵盤部２の前後方向に移動させる連動機構５とを備えた。従って、楽器ケース１の奥行きを短くして装置全体のコンパクト化を図ることができる。また、鍵盤蓋３を開いて鍵盤部２を露出させると、連動機構５によって付属品搭載部４が鍵盤部２の下部前方に突出するので、演奏者が演奏中に鍵盤部２からほとんど手を離さずに、容易に付属品搭載部４を操作することができる。【選択図】        図５
2008020754.tif 000002
【特許請求の範囲】
【請求項１】
装置本体と、この装置本体内に設けられた鍵盤部と、前記装置本体に回動可能に設けられて前記鍵盤部を開閉可能に覆う鍵盤蓋と、前記装置本体と前記鍵盤部との間にスライド可能に収納されて前記鍵盤部の下部前方に出没する付属品搭載部と、前記鍵盤蓋の開閉動作に連動して前記付属品搭載部を前記鍵盤部の前後方向に移動させる連動機構とを備えたことを特徴とする鍵盤装置。
【請求項２】
前記連動機構は、前記鍵盤蓋を前記装置本体に回動可能に取り付けるための回動軸と、この回動軸に取り付けられて前記鍵盤蓋の開閉動作に伴って回転する歯車部と、前記付属品搭載部に設けられて前記歯車部が噛み合った状態で前記歯車部の回転に応じて前記鍵盤部の前後方向に移動するラック部と、前記装置本体に設けられて前記付属品搭載部を前記鍵盤部の前後方向にスライド可能にガイドするガイドレール部とを備えていることを特徴とする請求項１に記載の鍵盤装置。
【請求項３】
前記付属品搭載部には、音色やエフェクトなどの機能を選択指定するための複数のスイッチを有するスイッチ操作部が設けられていることを特徴とする請求項１または２に記載の鍵盤装置。
【発明の詳細な説明】
【技術分野】
【０００１】
この発明は、電子ピアノなどの鍵盤装置に関する。
【背景技術】
【０００２】
従来、電子ピアノなどの鍵盤装置においては、特許文献１に記載されているように、演奏するときに、付属部品であるスピーカを装置本体内から装置本体上に移動させて、演奏中の楽音を演奏者が聞きやすくしたものがある。
【特許文献１】特開２００２−２４４６６０号
【０００３】
この種の鍵盤装置は、装置本体内に設けられた鍵盤部を開閉可能に覆う鍵盤蓋を装置本体に対しスライド可能に設け、この鍵盤蓋を開く方向にスライドさせて鍵盤部を露出させると、この鍵盤蓋のスライド動作に連動してスピーカが装置本体の上方に突出し、また鍵盤蓋を閉じる方向にスライドさせて鍵盤部を覆うと、この鍵盤蓋のスライド動作に連動してスピーカが装置本体内に収納されるように構成されている。
【発明の開示】
【発明が解決しようとする課題】
【０００４】
しかしながら、このような従来の鍵盤装置では、鍵盤蓋が装置本体に対しスライドして鍵盤部を開閉する構成であるから、装置本体の奥行きが長くなり、装置全体が大型化するという問題があるほか、付属部品であるスピーカを装置本体内における鍵盤部の後方に位置する個所に配置し、この個所でスピーカを装置本体内から上方に出没させる構成であるから、例えばスピーカに代えて音色やエフェクトなどの機能を選択指定するスイッチなどの付属部品を搭載する場合には不向きである。
【０００５】
すなわち、音色やエフェクトなどの機能を選択指定するスイッチなどの付属部品は、演奏者が演奏中に操作することがあるため、鍵盤部の後方に位置する装置本体の上部に配置されていると、演奏者が演奏中に鍵盤部から手を離さなければ、操作することができないので、操作性が悪いという不都合がある。
【０００６】
この発明が解決しようとする課題は、装置全体のコンパクト化を図ると共に、演奏中に鍵盤部からほとんど手を離さずに、容易に付属品搭載部を操作することができる鍵盤装置を提供することである。
【課題を解決するための手段】
【０００７】
この発明は、上記課題を解決するために、次のような構成要素を備えている。
なお、各構成要素には、後述する実施形態の項で説明される各要素に付されている図面の参照番号などを括弧と共に付す。
【０００８】
請求項１に記載の発明は、図１〜図５に示すように、装置本体（楽器ケース１）と、この装置本体内に設けられた鍵盤部（２）と、前記装置本体に回動可能に設けられて前記鍵盤部を開閉可能に覆う鍵盤蓋（３）と、前記装置本体と前記鍵盤部との間にスライド可能に収納されて前記鍵盤部の下部前方に出没する付属品搭載部（４）と、前記鍵盤蓋の開閉動作に連動して前記付属品搭載部を前記鍵盤部の前後方向に移動させる連動機構（５）とを備えたことを特徴とする鍵盤装置である。
【０００９】
請求項２に記載の発明は、図１〜図５に示すように、前記連動機構（５）が、前記鍵盤蓋（３）を前記装置本体（楽器ケース１）に回動可能に取り付けるための回動軸（１４）と、この回動軸に取り付けられて前記鍵盤蓋の開閉動作に伴って回転する歯車部（１８）と、前記付属品搭載部に設けられて前記歯車部が噛み合った状態で前記歯車部の回転に応じて前記鍵盤部の前後方向に移動するラック部（１９）と、前記装置本体に設けられて前記付属品搭載部を前記鍵盤部の前後方向にスライド可能にガイドするガイドレール部（２０）とを備えていることを特徴とする請求項１に記載の鍵盤装置である。
【００１０】
請求項３に記載の発明は、図１〜図５に示すように、前記付属品搭載部（４）に、音色やエフェクトなどの機能を選択指定するための複数のスイッチ（１７ａ）を有するスイッチ操作部（１７）が設けられていることを特徴とする請求項１または２に記載の鍵盤装置である。
【発明の効果】
【００１１】
請求項１に記載の発明によれば、装置本体内に設けられた鍵盤部を開閉可能に覆う鍵盤蓋が、装置本体に回動可能に設けられているので、先行文献のように鍵盤蓋が装置本体に対しスライドする構成のものに比べて、装置本体の奥行きを大幅に短くすることができ、これにより装置全体をコンパクトに構成することができるほか、付属品搭載部が装置本体と鍵盤部との間に収納される構成であるから、付属品搭載部を追加して設けても、装置全体が大型化せず、コンパクトに構成することができる。特に、装置本体に対し鍵盤蓋を回動させて開くと、連動機構によって装置本体と鍵盤部との間に収納された付属品搭載部が鍵盤部の前方に移動し、これにより付属品搭載部が鍵盤部の下部前方に突出して露出するので、演奏者が演奏中に鍵盤部からほとんど手を離すことなく、容易に付属品搭載部を操作することができる。
【００１２】
請求項２に記載の発明によれば、連動機構が、鍵盤蓋を装置本体に回動可能に取り付けるための回動軸と、この回動軸に取り付けられて鍵盤蓋の開閉動作に伴って回転する歯車部と、付属品搭載部に設けられて歯車部が噛み合った状態で歯車部の回転に応じてスライドするラック部と、装置本体に設けられて付属品搭載部を鍵盤部の前後方向にスライド可能にガイドするガイドレール部とを備えていることにより、装置本体に対し鍵盤蓋を回動させて開閉するだけで、連動機構が付属品搭載部を確実に且つ円滑に鍵盤部の下部前方に突出させたり、装置本体と鍵盤部との間に収納させたりすることができる。
【００１３】
すなわち、この連動機構は、装置本体に対し鍵盤蓋を回動させて開くときに、鍵盤蓋と共に回動軸が回転して歯車部を回転させ、この歯車部の回転に伴ってラック部が鍵盤部の前方に向けて移動し、このラック部の移動によって付属品搭載部がガイドレールに沿って鍵盤部の前方にスライドするので、付属品搭載部を確実に且つ良好に鍵盤部の下部前方に突出させることができる。また、装置本体に対し鍵盤蓋を回動させて閉じるときには、鍵盤蓋と共に回動軸が上記とは逆の方向に回転して歯車部を逆回転させ、この歯車部の逆回転に伴ってラック部が鍵盤部の後方に向けて移動し、このラック部の移動によって付属品搭載部がガイドレールに沿って鍵盤部の後方にスライドするので、付属品搭載部を確実に且つ良好に装置本体と鍵盤部との間に収納することができる。
【００１４】
請求項３に記載の発明によれば、付属品搭載部に、音色やエフェクトなどの機能を選択指定するための複数のスイッチを有するスイッチ操作部が設けられていることにより、鍵盤蓋を回動させて開くと、付属品搭載部が鍵盤部の下部前方に突出し、この付属品搭載部に設けられたスイッチ操作部が鍵盤部の下部前方に露出するので、鍵盤部の操作の邪魔にならないばかりか、演奏者が演奏中に鍵盤部からほとんど手を離すことなく、スイッチ操作部のスイッチを容易に且つ速やかに操作することができ、これにより演奏中の楽音の音色を変えたり、演奏中の楽音にエフェクトを付加したりすることができる。
【発明を実施するための最良の形態】
【００１５】
以下、図１〜図５を参照して、この発明を適用した鍵盤装置の一実施形態について説明する。
図１はこの発明の鍵盤装置を示した分解斜視図、図２は図１の鍵盤蓋を閉じた状態における鍵盤装置の要部を示した拡大平面図、図３は図２のＡ−Ａ矢視における断面図、図４は図２の鍵盤蓋を開いた状態における鍵盤装置の要部を示した拡大平面図、図５は図４のＢ−Ｂ矢視における断面図である。
【００１６】
この鍵盤装置は、楽器ケース１と、この楽器ケース１内に設けられた鍵盤部２と、楽器ケース１に回動可能に設けられて鍵盤部２を開閉可能に覆う鍵盤蓋３と、楽器ケース１と鍵盤部３との間にスライド可能に収納されて鍵盤部２の下部前方に出没する付属品搭載部４と、鍵盤蓋３の開閉動作に連動して付属品搭載部４を鍵盤部２の前後方向に移動させる連動機構５とを備えている。
【００１７】
すなわち、楽器ケース１は、図１〜図５に示すように、底板６と、背面板７と、両側の側板８とからなり、底板６上に鍵盤部２が配置され、この底板６の後端部上に背面板７が鍵盤部２の後部側を覆って設けられ、底板６と背面板７とにおける両側の端部に側板８がそれぞれ設けられた構成になっている。この場合、背面板７の上面部には、図１〜図５に示すように、スピーカ９が設けられている。
【００１８】
鍵盤部２は、図１〜図５に示すように、鍵盤シャーシ１０上に白鍵および黒鍵などの多数の鍵１１を配列したものであり、その後部および両側部を除く、前部側および上部側が楽器ケース１から外部に露出する状態で、楽器ケース１内に配置されている。この場合、鍵盤シャーシ１０は、図１に示すように、その前側下部に切欠け部１０ａが設けられ、この切欠け部１０ａを除く、後側下部が楽器ケース１の底板６上に配置されている。これにより、鍵盤部２は、鍵盤シャーシ１０の前側下部に設けられた切欠け部１０ａによって、楽器ケース１の底板６と鍵盤部２の前側下面との間に収納部２ａが設けられるように構成されている。
【００１９】
鍵盤蓋３は、図１〜図５に示すように、鍵盤部２の前部側を覆う前板部１２と、鍵盤部２の上部側を覆う上板部１３とからなり、この上板部１３の後端部に回動軸１４が設けられ、この回動軸１４の両端部が楽器ケース１の両側の側板８に回動自在に取り付けられ、図３および図５に示すように、回動軸１４を中心に上下方向に回動して鍵盤部２を開閉可能に覆うように構成されている。
【００２０】
付属品搭載部４は、図１〜図５に示すように、鍵盤シャーシ１０の前側下部に設けられた切欠け部１０ａによって、楽器ケース１の底板６と鍵盤部２の前側下面との間に設けられた収納部２ａ内に収納可能に配置される搭載板１５と、この搭載板１５の両側に設けられて鍵盤シャーシ１０の両側外部に位置した状態で鍵盤部２の前後方向（図３および図５では左右方向）にスライド可能に配置される支持部１６とを備えている。
【００２１】
この場合、搭載板１５は、図１〜図５に示すように、支持部１６と共に鍵盤部２の前後方向（図３および図５では左右方向）にスライドして、楽器ケース１の底板６と鍵盤部２の前側下面との間に設けられた収納部２ａ内から鍵盤部２の下部前方に出没可能に突出するように構成されている。この搭載板１５上には、図１に示すように、音色やエフェクトなどの機能を選択指定するための複数のスイッチ１７ａを有するスイッチ操作部１７が設けられている。
【００２２】
一方、連結機構５は、図１〜図５に示すように、鍵盤蓋３に取り付けられた回動軸１４と、この回動軸１４に取り付けられて鍵盤蓋３の開閉動作に伴って回転する歯車部１８と、付属品搭載部４の支持部１６に設けられて歯車部１８が噛み合った状態で歯車部１８の回転に応じて鍵盤部２の前後方向（図３では左右方向）に移動するラック部１９と、楽器ケース１の底部６上に設けられて付属品搭載部４を鍵盤部２の前後方向にスライド自在にガイドするガイドレール部２０とを備えている。
【００２３】
この連結機構５は、図２および図３に示すように、鍵盤蓋３が閉じて鍵盤部２を覆った状態のときに、鍵盤蓋３の回動軸１４に取り付けられた歯車部１８が付属品搭載部４に設けられたラック部１９の前部側（図３では左側）に位置して噛み合い、これにより付属品搭載部４の搭載板１５を楽器ケース１の底板６と鍵盤部２の前側下面との間に設けられた収納部２ａ内に収納するように構成されている。
【００２４】
また、この連結機構５は、図４および図５に示すように、鍵盤蓋３が開いて鍵盤部２を露出させた状態のときに、鍵盤蓋３の回動軸１４に取り付けられた歯車部１８が図５に示すように時計回りに回転して付属品搭載部４に設けられたラック部１９を鍵盤部２の前方（図５では左側）に向けて移動させた上、歯車部１８がラック部１９の後部側（図５では右側）に位置して噛み合い、これにより付属品搭載部４の搭載板１５を楽器ケース１の底板６と鍵盤部２の前側下面との間に設けられた収納部２ａ内から鍵盤部２の下部前方に突出させるように構成されている。
【００２５】
このような鍵盤装置によれば、楽器ケース１内に設けられた鍵盤部２を開閉可能に覆う鍵盤蓋３が楽器ケース１に回動可能に設けられているので、先行文献のように鍵盤蓋が楽器ケースに対しスライドして開閉する構成のものに比べて、楽器ケース１の奥行きを短くすることができ、これにより装置全体をコンパクトに構成することができるほか、付属品搭載部４が楽器ケース１の底板６と鍵盤部２の前側下面との間に設けられた収納部２ａ内に収納されるので、付属品搭載部４を追加して設けても、装置全体が大型化せず、コンパクトに構成することができる。
【００２６】
特に、この鍵盤装置では、鍵盤蓋３の開閉動作に連動して連動機構５が、楽器ケース１の底板６と鍵盤部２の前側下面との間に収納される付属品搭載部４を鍵盤部２の前後方向に移動させて、付属品搭載部４を鍵盤部２の下部前方に向けて出没させるので、鍵盤蓋３を開いて鍵盤部２を露出させたときに、連動機構５によって付属品搭載部４の搭載板１５が鍵盤部２の下部前方に突出して露出することにより、演奏者が演奏中に鍵盤部２からほとんど手を離すことなく、容易に且つ速やかに付属品搭載部４のスイッチ操作部１７を操作することができる。
【００２７】
この場合、連動機構５は、図１〜図５に示すように、鍵盤蓋３を楽器ケース１に回動可能に取り付けるための回動軸１４と、この回動軸１４に取り付けられて鍵盤蓋３の開閉動作に伴って回転する歯車部１８と、付属品搭載部４に設けられて歯車部１８が噛み合った状態で歯車部１８の回転に応じて鍵盤部２の前後方向に移動するラック部１９と、楽器ケース１に設けられて付属品搭載部４を鍵盤部２の前後方向にガイドするガイドレール部２０とを備えているので、楽器ケース１に対し鍵盤蓋３を回動させて開閉するだけで、付属品搭載部４の搭載板１５を確実に鍵盤部２の下部前方に突出させたり、楽器ケース１の底板６と鍵盤部２の下面との間の収納部２ａ内に収納させたりすることができる。
【００２８】
すなわち、この連動機構５は、図２および図３に示す状態で、楽器ケース１に対し鍵盤蓋３を回動させて開くときに、鍵盤蓋３の開く動作と共に回動軸１４が図３において時計回りに回転して歯車部１８を同じ方向に回転させ、この歯車部１８の回転に伴ってラック部１９が鍵盤部２の前方（図３では左側）に向けて移動し、このラック部１９の移動に伴って付属品搭載部４がガイドレール２０に沿って鍵盤部２の前方にスライドするので、図４および図５に示すように、付属品搭載部４の搭載板１５を確実に且つ円滑に鍵盤部２の下部前方に突出させることができる。
【００２９】
また、この連動機構５は、図４および図５に示す状態で、楽器ケース１に対し鍵盤蓋３を回動させて閉じるときに、鍵盤蓋３の閉じる動作と共に回動軸１４が上記とは逆の方向、つまり図５において反時計回りに回転して歯車部１８を同じ方向に逆回転させ、この歯車部１８の逆回転に伴ってラック部１９が鍵盤部２の後方（図５では右側）に移動し、このラック部１９の移動に伴って付属品搭載部４がガイドレール２０に沿って鍵盤部２の後方に向けてスライドするので、図２および図３に示すように、付属品搭載部４の搭載板１５を確実に且つ円滑に楽器ケース１の底板６と鍵盤部２の前側下面との間の収納部２ａ内に収納することができる。
【００３０】
また、この鍵盤装置では、付属品搭載部４の搭載板１５に、音色やエフェクトなどの機能を選択指定するための複数のスイッチ１７ａを有するスイッチ操作部１７が設けられていることにより、鍵盤蓋３を回動させて開くと、付属品搭載部４の搭載板１５が鍵盤部２の下部前方に突出し、この付属品搭載部４の搭載板１５に設けられた複数のスイッチ１７ａを有するスイッチ操作部１７が鍵盤部２の下部前方に露出するので、鍵盤部２の鍵操作の邪魔にならないばかりか、演奏中に演奏者が鍵盤部２からほとんど手を離すことなく、スイッチ操作部１７のスイッチ１７ａを容易に且つ速やかに操作することができ、これにより演奏中の楽音の音色を変えたり、演奏中の楽音にエフェクトを付加したりすることができる。
【００３１】
なお、上記実施形態では、付属品搭載部４に音色やエフェクトなどの機能を選択指定するための複数のスイッチ１７ａを有するスイッチ操作部１７を設けた場合について述べたが、必ずしもスイッチ操作部１７である必要はなく、例えば液晶表示素子やＥＬ（エレクトロルミネッセンス）表示素子などの平面型の表示素子からなる表示部や、平面型のスピーカ、あるいはマイクロホンなどの付属部品を搭載しても良い。このように構成しても、表示部の表示切換、スピーカの音量調節、マイクロホンの感度調節などの操作を、演奏中に演奏者が鍵盤部２からほとんど手を離さずに行うことができる。
【図面の簡単な説明】
【００３２】
【図１】この発明を適用した鍵盤装置の分解斜視図である。
【図２】図１の鍵盤蓋を閉じた状態の鍵盤装置を示した要部の拡大平面図である。
【図３】図２のＡ−Ａ矢視における断面図である。
【図４】図２の鍵盤蓋を開いた状態の鍵盤装置を示した要部の拡大平面図である。
【図５】図４のＢ−Ｂ矢視における断面図である。
【符号の説明】
【００３３】
１  楽器ケース
２  鍵盤部
２ａ  収納部
３  鍵盤蓋
４  付属品搭載部
５  連動機構
６  底板
７  背面板
８  側板
１０  鍵盤シャーシ
１０ａ 切欠け部
１４  回動軸
１５  搭載部
１６  支持部
１７  スイッチ操作部
１７ａ  スイッチ
１８  歯車部
１９  ラック部
２０  ガイドレール部
【図１】
2008020754.tif 000003
【図２】
2008020754.tif 000004
【図３】
2008020754.tif 000005
【図４】
2008020754.tif 000006
【図５】
2008020754.tif 000007